(57)【要約】【課題】ＨＤＤに記録した映像音声情報の数が多くなるときにも、捜す手間の増加を招くことなく、所望する映像音声情報をディスクにダビングする。【解決手段】装置側記録媒体３に記録された映像音声情報を、記録媒体ドライブ部２を介して取出可能記録媒体１７にダビングするダビング制御手段１２と、映像音声情報に対応付けられた参照用情報を参照することによって、入力された検索条件に該当する映像音声情報を検索する検索表示手段１１とを備えた構成において、検索表示手段１１は検索条件の入力の受け付けを行うとともに入力された検索条件に該当する映像音声情報を検索してダビング対象に設定し、ダビング制御手段１２は検索表示手段１１によりダビング対象に設定された映像音声情報を取出可能記録媒体１７にダビングする。【選択図】  図１
2006080890.tif 000002
【特許請求の範囲】
【請求項１】
装置本体に設けられ、映像音声情報と映像音声情報の検索時に参照される情報である参照用情報とを対応付けて記録する装置側記録媒体と、
装置本体から取り出し可能な記録媒体である取出可能記録媒体に映像音声情報を記録する記録媒体ドライブ部と、
装置側記録媒体に記録された映像音声情報を記録媒体ドライブ部を介して取出可能記録媒体にダビングするダビング制御手段と、
映像音声情報に対応付けられた参照用情報を参照することによって、装置側記録媒体に記録された映像音声情報のうち、入力された検索条件に該当する映像音声情報を検索する検索表示手段とを備えた映像音声情報記録装置において、
参照用情報には映像音声情報が装置側記録媒体に記録された日時を示す記録日時情報が含まれ、
検索表示手段は、
検索条件の入力の受け付けを行うとともに入力された検索条件に該当する映像音声情報を記録日時情報により示される日時に従った順序でもって且つダビングされたことを示す情報が付加された映像音声情報とダビングされたことを示す情報が付加されていない映像音声情報とを区別可能に表示し、
且つ前記表示を行った状態にあってはダビングを取り止める映像音声情報の指示の受け付けを行うとともに表示した映像音声情報のうちでユーザがダビングの取り止めを指示しなかった映像音声情報をダビング対象に設定し、
且つダビング対象に設定した映像音声情報のデータの総量が取出可能記録媒体に記録可能なデータ量より多くなるときには、ダビング対象に設定した映像音声情報のデータの総量が取出可能記録媒体に記録可能なデータ量より多いことを示す情報を表示し、
且つダビング対象に設定した映像音声情報のうち、取出可能記録媒体に記録可能な数の映像音声情報を記録日時情報により示される日時の古い側から選択した後、選択されずに残った映像音声情報をダビング対象から除外し、
且つ表示した映像音声情報のうちでユーザがダビングの取り止めを指示しなかった映像音声情報の全てを取出可能記録媒体に記録可能にする再圧縮ダビングを選択肢として表示し、
ダビング制御手段は、
再圧縮ダビングが選択されなかったときにはダビング対象に設定された映像音声情報を取出可能記録媒体にダビングし、再圧縮ダビングが選択されたときには表示した映像音声情報のうちでユーザがダビングの取り止めを指示しなかった映像音声情報の全てを記録可能にする圧縮率を用いて、表示した映像音声情報のうちでユーザがダビングの取り止めを指示しなかった映像音声情報の全てを取出可能記録媒体にダビングし、
且つ移動モードに設定されているときでは取出可能記録媒体にダビングした映像音声情報を装置側記録媒体から削除し、
且つ装置側記録媒体に記録された映像音声情報のうちで取出可能記録媒体にダビングした映像音声情報にはダビングされたことを示す情報を付加することを特徴とする映像音声情報記録装置。
【請求項２】
装置本体に設けられ、映像音声情報と映像音声情報の検索時に参照される情報である参照用情報とを対応付けて記録する装置側記録媒体と、
装置本体から取り出し可能な記録媒体である取出可能記録媒体に映像音声情報を記録する記録媒体ドライブ部と、
装置側記録媒体に記録された映像音声情報を記録媒体ドライブ部を介して取出可能記録媒体にダビングするダビング制御手段と、
映像音声情報に対応付けられた参照用情報を参照することによって、装置側記録媒体に記録された映像音声情報のうち、入力された検索条件に該当する映像音声情報を検索する検索表示手段とを備えた映像音声情報記録装置において、
検索表示手段は検索条件の入力の受け付けを行うとともに入力された検索条件に該当する映像音声情報を検索してダビング対象に設定し、
ダビング制御手段は検索表示手段によりダビング対象に設定された映像音声情報を取出可能記録媒体にダビングすることを特徴とする映像音声情報記録装置。
【請求項３】
検索表示手段は検索条件に該当した映像音声情報を表示するとともに前記該当した映像音声情報を表示した状態においてダビングを取り止める映像音声情報の指示の受け付けを行い、表示した映像音声情報のうちでユーザがダビングの取り止めを指示しなかった映像音声情報をダビング対象に設定することを特徴とする請求項２に記載の映像音声情報記録装置。
【請求項４】
参照用情報には映像音声情報が装置側記録媒体に記録された日時を示す記録日時情報が含まれ、
検索表示手段は、ダビング対象に設定した映像音声情報のデータの総量が取出可能記録媒体に記録可能なデータ量より多くなるときには、ダビング対象に設定した映像音声情報のうち、取出可能記録媒体に記録可能な数の映像音声情報を記録日時情報により示される日時の古い側から選択した後、選択されずに残った映像音声情報をダビング対象から除外することを特徴とする請求項２または請求項３に記載の映像音声情報記録装置。
【請求項５】
参照用情報には映像音声情報が装置側記録媒体に記録された日時を示す記録日時情報が含まれ、
検索表示手段は、映像音声情報の表示の順序を記録日時情報により示される日時に従った順序とするとともに、ダビング対象に設定した映像音声情報のデータの総量が取出可能記録媒体に記録可能なデータ量より多くなるときには、ダビング対象に設定した映像音声情報のデータの総量が取出可能記録媒体に記録可能なデータ量より多いことを示す情報を表示することを特徴とする請求項３または請求項４に記載の映像音声情報記録装置。
【請求項６】
参照用情報には映像音声情報が装置側記録媒体に記録された日時を示す記録日時情報が含まれ、
検索表示手段は、映像音声情報の表示の順序を記録日時情報により示される日時に従った順序とするとともに、ダビング対象に設定した映像音声情報のデータの総量が取出可能記録媒体に記録可能なデータ量より多くなるときには、表示した映像音声情報のうちでユーザがダビングの取り止めを指示しなかった映像音声情報の全てを取出可能記録媒体に記録可能にする再圧縮ダビングを選択肢として表示し、
ダビング制御手段は再圧縮ダビングが選択されたときには、表示した映像音声情報のうちでユーザがダビングの取り止めを指示しなかった映像音声情報の全てを記録可能にする圧縮率を用いて、表示した映像音声情報のうちでユーザがダビングの取り止めを指示しなかった映像音声情報の全てを取出可能記録媒体にダビングすることを特徴とする請求項３から請求項５までのいずれかに記載の映像音声情報記録装置。
【請求項７】
ダビング制御手段は、移動モードとなるときには、取出可能記録媒体にダビングされた映像音声情報を装置側記録媒体から削除することを特徴とする請求項２から請求項６までのいずれかに記載の映像音声情報記録装置。
【発明の詳細な説明】
【技術分野】
【０００１】
本発明は、装置本体に設けられた装置側記録媒体に記録された映像音声情報を、記録媒体ドライブ部を介して取出可能記録媒体にダビングする映像音声情報記録装置に係り、より詳細には、入力された検索条件に該当する映像音声情報を検索して取出可能記録媒体にダビングする映像音声情報記録装置に関するものである。
【背景技術】
【０００２】
ハードディスクドライブ（以下では、ＨＤＤと称する）やＤＶＤに、商用放送を受信して得られた番組を記録することが可能な装置では、最初にＨＤＤに番組を記録した後、ＨＤＤに記録した番組をＤＶＤにダビングすることがよく行われる。このようなダビングを行う場合、ユーザは、ＨＤＤに記録した番組の一覧を表示させる。そして、表示させた番組の一覧を見ながら、ダビングしたいと思う番組を選択する。そして後、ダビングの指示を入力することによって、選択した番組をＤＶＤにダビングさせている（第１の従来技術とする）。
【０００３】
また、以下に示す技術が提案されている（第２の従来技術とする）。すなわち、この技術においては、番組を記録するとき、ユーザの自己記録によるものか放送を記録したものなのかを示す情報、放送を記録したものであるときのチャンネルまたは放送局を示す情報、記録した番組を視聴した回数、ユーザが手動によって記録したのか機器による自動記録によるものかを示す情報、ユーザを識別するための情報、番組名を示す情報、出演者を示す情報、ＥＰＧまたはキーワード情報、記録日時、ジャンルのそれぞれを示す情報も、併せて記録するようになっている。また、再生となるときには、上記した情報に対し、必要に応じて、検索、ソートを行い、再生対象となる番組を選択する。そして後、選択した番組を再生することが開示されている。また、検索、ソートにおいては、それぞれの情報について個別に行うことが可能であるとともに、複数の情報について行ってもよいことが、併せて開示されている（例えば、特許文献１参照）。
【特許文献１】特開２００２−３６９１３８号公報（第０１３０、第０１４６〜０１４７段落）
【発明の開示】
【発明が解決しようとする課題】
【０００４】
しかしながら、第１の従来技術を用いる場合には、以下に示す問題を生じていた。すなわち、ＨＤＤの記録容量が大きい装置では、ＨＤＤに記録される番組数が多くなる傾向にある。このような場合では、番組を一覧表示させたときでは、当然ながら、多数の番組が表示される。従って、一覧表示された多数の番組から、ダビングしたい番組を見つけ出すには、時間と手間を要していた。
【０００５】
第２の従来技術においては、再生となるとき、番組に対応付けて記録した情報に対して、検索、ソートを行い、再生対象となる番組を選択することが開示されているが、ダビングを行うとき、ダビング対象となる番組の選択を簡単化することについては、全く、開示されていない。このため、第１の従来技術における問題、すなわち、ＨＤＤに多数の番組が記録されたようなとき、ダビング対象となる番組の選択に手間を要するので、この手間を解消するという観点からするときには、第２の従来技術は適用することが困難な技術となっている。
【０００６】
本発明は、上記の問題点を解決するため創案されたものであり、その目的は、ＨＤＤに記録した映像音声情報の数が多くなるときにも、捜す手間の増加を招くことなく、所望する映像音声情報をディスクにダビングすることのでき、且つ、検索結果に余分な映像音声情報が含まれるときにも、所望する映像音声情報のみをディスクにダビングすることのでき、且つ、続き物番組の連続性を損なうことなく、ダビング可能な分だけの映像音声情報をディスクに自動的にダビングすることのでき、且つ、検索条件に該当した映像音声情報の全てをダビングするにはディスクの記録容量が不足するときに、ダビングする映像音声情報の数を減らすことを促すとともに、どの映像音声情報をダビングの対象からはずせばよいのかの判別を容易にすることのでき、且つ、検索条件に該当した映像音声情報の全てを記録するにはディスクの記録容量が不足する場合でも、該当する映像音声情報の全てのダビングをユーザが所望するときには、対象となる映像音声情報の全てをダビングすることのでき、且つ、ダビングが済んだ映像音声情報を自動でＨＤＤから削除させることのでき、且つ、既にダビングされたことのある映像音声情報については、ダビングされたことがあるのを知らせることのできる映像音声情報記録装置を提供することにある。
【０００７】
また本発明の目的は、検索時に参照される参照用情報を映像音声情報に対応付けて記録し、入力された検索条件に該当する映像音声情報を参照用情報を参照することによって検索し、検索された映像音声情報をダビングすることによって、ＨＤＤに記録した映像音声情報の数が多くなるときにも、捜す手間の増加を招くことなく、所望する映像音声情報をディスクにダビングすることのできる映像音声情報記録装置を提供することにある。
【０００８】
また、上記目的に加え、検索条件に該当すると見なされた映像音声情報のうち、ダビングを取り止める映像音声情報の指示を可能とすることにより、検索結果に余分な映像音声情報が含まれるときにも、所望する映像音声情報のみをディスクにダビングすることのできる映像音声情報記録装置を提供することにある。
【０００９】
また、上記目的に加え、検索された映像音声情報のデータの総量がディスクに記録可能なデータ量より多くなるときには、記録可能な数の映像音声情報を記録日時の古い側から選択してダビングすることにより、続き物番組の連続性を損なうことなく、ダビング可能な分だけの映像音声情報を、ディスクに自動的にダビングすることのできる映像音声情報記録装置を提供することにある。
【００１０】
また、上記目的に加え、検索された映像音声情報のデータの総量がディスクに記録可能なデータ量より多くなるときには、検索された映像音声情報のデータの総量が、ディスクに記録可能なデータ量より多いことを示す情報を表示することにより、検索条件に該当した映像音声情報の全てをダビングするにはディスクの記録容量が不足するときに、ダビングする映像音声情報の数を減らすことを促すとともに、どの映像音声情報をダビングの対象からはずせばよいのかの判別を容易にすることのできる映像音声情報記録装置を提供することにある。
【００１１】
また、上記目的に加え、検索された映像音声情報のデータの総量がディスクに記録可能なデータ量より多くなるときには、より高い圧縮率でのダビングを選択肢として表示し、より高い圧縮率でのダビングが選択されたときには、ユーザがダビングの取り消しを指定しなかった映像音声情報の全てを記録可能にする圧縮率を用いてダビングすることにより、検索条件に該当した映像音声情報のうち、ダビングの取り消しを指示しなかった映像音声情報の全てを記録するにはディスクの記録容量が不足する場合でも、前記映像音声情報の全てをダビングすることのできる映像音声情報記録装置を提供することにある。
【００１２】
また、上記目的に加え、ダビングが済んだ映像音声情報を自動でＨＤＤから削除することのできる映像音声情報記録装置を提供することにある。
【課題を解決するための手段】
【００１３】
上記の課題を解決するため、本発明に係る映像音声情報記録装置は、装置本体に設けられ、映像音声情報と映像音声情報の検索時に参照される情報である参照用情報とを対応付けて記録する装置側記録媒体と、装置本体から取り出し可能な記録媒体である取出可能記録媒体に映像音声情報を記録する記録媒体ドライブ部と、装置側記録媒体に記録された映像音声情報を記録媒体ドライブ部を介して取出可能記録媒体にダビングするダビング制御手段と、映像音声情報に対応付けられた参照用情報を参照することによって、装置側記録媒体に記録された映像音声情報のうち、入力された検索条件に該当する映像音声情報を検索する検索表示手段とを備えた映像音声情報記録装置に適用している。そして、参照用情報には映像音声情報が装置側記録媒体に記録された日時を示す記録日時情報が含まれ、検索表示手段は、検索条件の入力の受け付けを行うとともに入力された検索条件に該当する映像音声情報を記録日時情報により示される日時に従った順序でもって且つダビングされたことを示す情報が付加された映像音声情報とダビングされたことを示す情報が付加されていない映像音声情報とを区別可能に表示し、且つ前記表示を行った状態にあってはダビングを取り止める映像音声情報の指示の受け付けを行うとともに表示した映像音声情報のうちでユーザがダビングの取り止めを指示しなかった映像音声情報をダビング対象に設定し、且つダビング対象に設定した映像音声情報のデータの総量が取出可能記録媒体に記録可能なデータ量より多くなるときには、ダビング対象に設定した映像音声情報のデータの総量が取出可能記録媒体に記録可能なデータ量より多いことを示す情報を表示し、且つダビング対象に設定した映像音声情報のうち、取出可能記録媒体に記録可能な数の映像音声情報を記録日時情報により示される日時の古い側から選択した後、選択されずに残った映像音声情報をダビング対象から除外し、且つ表示した映像音声情報のうちでユーザがダビングの取り止めを指示しなかった映像音声情報の全てを取出可能記録媒体に記録可能にする再圧縮ダビングを選択肢として表示し、ダビング制御手段は、再圧縮ダビングが選択されなかったときにはダビング対象に設定された映像音声情報を取出可能記録媒体にダビングし、再圧縮ダビングが選択されたときには表示した映像音声情報のうちでユーザがダビングの取り止めを指示しなかった映像音声情報の全てを記録可能にする圧縮率を用いて、表示した映像音声情報のうちでユーザがダビングの取り止めを指示しなかった映像音声情報の全てを取出可能記録媒体にダビングし、且つ移動モードに設定されているときでは取出可能記録媒体にダビングした映像音声情報を装置側記録媒体から削除し、且つ装置側記録媒体に記録された映像音声情報のうちで取出可能記録媒体にダビングした映像音声情報にはダビングされたことを示す情報を付加するようになっている。
【００１４】
すなわち、ダビングしたい映像音声情報に対応する検索条件を入力すると、ダビングしたい映像音声情報が検索表示手段により検索される。そして、検索された映像音声情報は、ダビング制御手段によって取出可能記録媒体にダビングされる。また、ダビングを所望しない映像音声情報を、ダビングを取り止める映像音声情報として指示すると、ダビングを所望しない映像音声情報はダビングの対象から除外される。また、日時の古い側から、ダビング可能な数だけの映像音声情報が検索表示手段によって選択され、取出可能記録媒体にダビングされる。また、表示の順序でもって記録日時の順序が示される。また、表示された映像音声情報の一部はダビングはできないことが示される。また、再圧縮ダビングを選択すると、ユーザがダビングの取り止めを指示しなかった映像音声情報の全てが取出可能記録媒体にダビングされる。また、移動モードとするときでは、ダビングが完了した映像音声情報は、自動で装置側記録媒体から削除される。また、ダビングされた映像音声情報については、ダビングが既に行われたことが示される。
【００１５】
また本発明に係る映像音声情報記録装置は、装置本体に設けられ、映像音声情報と映像音声情報の検索時に参照される情報である参照用情報とを対応付けて記録する装置側記録媒体と、装置本体から取り出し可能な記録媒体である取出可能記録媒体に映像音声情報を記録する記録媒体ドライブ部と、装置側記録媒体に記録された映像音声情報を記録媒体ドライブ部を介して取出可能記録媒体にダビングするダビング制御手段と、映像音声情報に対応付けられた参照用情報を参照することによって、装置側記録媒体に記録された映像音声情報のうち、入力された検索条件に該当する映像音声情報を検索する検索表示手段とを備えた映像音声情報記録装置に適用している。そして、検索表示手段は検索条件の入力の受け付けを行うとともに入力された検索条件に該当する映像音声情報を検索してダビング対象に設定し、ダビング制御手段は検索表示手段によりダビング対象に設定された映像音声情報を取出可能記録媒体にダビングするようになっている。すなわち、ダビングしたい映像音声情報に対応する検索条件を入力すると、ダビングしたい映像音声情報が検索表示手段により検索される。そして、検索された映像音声情報は、ダビング制御手段によって取出可能記録媒体にダビングされる。
【００１６】
また、上記構成に加え、検索表示手段は検索条件に該当した映像音声情報を表示するとともに前記該当した映像音声情報を表示した状態においてダビングを取り止める映像音声情報の指示の受け付けを行い、表示した映像音声情報のうちでユーザがダビングの取り止めを指示しなかった映像音声情報をダビング対象に設定するようになっている。すなわち、ダビングを所望しない映像音声情報を、ダビングを取り止める映像音声情報として指示すると、ダビングを所望しない映像音声情報はダビングの対象から除外される。
【００１７】
また、上記構成に加え、参照用情報には映像音声情報が装置側記録媒体に記録された日時を示す記録日時情報が含まれ、検索表示手段は、ダビング対象に設定した映像音声情報のデータの総量が取出可能記録媒体に記録可能なデータ量より多くなるときには、ダビング対象に設定した映像音声情報のうち、取出可能記録媒体に記録可能な数の映像音声情報を記録日時情報により示される日時の古い側から選択した後、選択されずに残った映像音声情報をダビング対象から除外するようになっている。すなわち、日時の古い側から、ダビング可能な数だけの映像音声情報が検索表示手段によって選択され、取出可能記録媒体にダビングされる。
【００１８】
また、上記構成に加え、参照用情報には映像音声情報が装置側記録媒体に記録された日時を示す記録日時情報が含まれ、検索表示手段は、映像音声情報の表示の順序を記録日時情報により示される日時に従った順序とするとともに、ダビング対象に設定した映像音声情報のデータの総量が取出可能記録媒体に記録可能なデータ量より多くなるときには、ダビング対象に設定した映像音声情報のデータの総量が取出可能記録媒体に記録可能なデータ量より多いことを示す情報を表示するようになっている。すなわち、表示の順序でもって記録日時の順序が示される。また、表示された映像音声情報の一部はダビングはできないことが示される。
【００１９】
また、上記構成に加え、参照用情報には映像音声情報が装置側記録媒体に記録された日時を示す記録日時情報が含まれ、検索表示手段は、映像音声情報の表示の順序を記録日時情報により示される日時に従った順序とするとともに、ダビング対象に設定した映像音声情報のデータの総量が取出可能記録媒体に記録可能なデータ量より多くなるときには、表示した映像音声情報のうちでユーザがダビングの取り止めを指示しなかった映像音声情報の全てを取出可能記録媒体に記録可能にする再圧縮ダビングを選択肢として表示し、ダビング制御手段は再圧縮ダビングが選択されたときには、表示した映像音声情報のうちでユーザがダビングの取り止めを指示しなかった映像音声情報の全てを記録可能にする圧縮率を用いて、表示した映像音声情報のうちでユーザがダビングの取り止めを指示しなかった映像音声情報の全てを取出可能記録媒体にダビングするようになっている。すなわち、再圧縮ダビングを選択すると、表示した映像音声情報のうちでユーザがダビングの取り止めを指示しなかった映像音声情報の全てが取出可能記録媒体にダビングされる。
【００２０】
また、上記構成に加え、ダビング制御手段は移動モードとなるときには、取出可能記録媒体にダビングされた映像音声情報を装置側記録媒体から削除するようになっている。すなわち、移動モードとするときでは、ダビングが完了した映像音声情報は、自動で装置側記録媒体から削除される。
【発明の効果】
【００２１】
本発明によれば、ダビングしたい映像音声情報に対応する検索条件を入力すると、ダビングしたい映像音声情報が検索表示手段により検索される。そして、検索された映像音声情報は、ダビング制御手段によって取出可能記録媒体にダビングされる。また、ダビングを所望しない映像音声情報を、ダビングを取り止める映像音声情報として指示すると、ダビングを所望しない映像音声情報はダビングの対象から除外される。また、日時の古い側から、ダビング可能な数だけの映像音声情報が検索表示手段によって選択され、取出可能記録媒体にダビングされる。また、表示の順序でもって記録日時の順序が示される。また、表示された映像音声情報の一部はダビングはできないことが示される。また、再圧縮ダビングを選択すると、ユーザがダビングの取り止めを指示しなかった映像音声情報の全てが取出可能記録媒体にダビングされる。また、移動モードとするときでは、ダビングが完了した映像音声情報は、自動で装置側記録媒体から削除される。また、ダビングされた映像音声情報については、ダビングが既に行われたことが示される。このため、ＨＤＤに記録した映像音声情報の数が多くなるときにも、捜す手間の増加を招くことなく、所望する映像音声情報をディスクにダビングすることができ、且つ、検索結果に余分な映像音声情報が含まれるときにも、所望する映像音声情報のみをディスクにダビングすることができ、且つ、続き物番組の連続性を損なうことなく、ダビング可能な分だけの映像音声情報をディスクに自動的にダビングすることができ、且つ、検索条件に該当した映像音声情報の全てをダビングするにはディスクの記録容量が不足するときに、ダビングする映像音声情報の数を減らすことを促すとともに、どの映像音声情報をダビングの対象からはずせばよいのかの判別を容易にすることができ、且つ、検索条件に該当した映像音声情報の全てを記録するにはディスクの記録容量が不足する場合でも、該当する映像音声情報の全てのダビングをユーザが所望するときには、該当する映像音声情報の全てをダビングすることができ、且つ、ダビングが済んだ映像音声情報を自動でＨＤＤから削除させることができ、且つ、既にダビングされたことのある映像音声情報については、ダビングされたことがあるのを知らせることができる。
【００２２】
また本発明によれば、ダビングしたい映像音声情報に対応する検索条件を入力すると、ダビングしたい映像音声情報が検索表示手段により検索される。そして、検索された映像音声情報は、ダビング制御手段によって取出可能記録媒体にダビングされるので、ＨＤＤに記録した映像音声情報の数が多くなるときにも、捜す手間の増加を招くことなく、所望する映像音声情報をディスクにダビングすることができる。
【００２３】
また、さらに、ダビングを所望しない映像音声情報を、ダビングを取り止める映像音声情報として指示すると、ダビングを所望しない映像音声情報はダビングの対象から除外されるので、検索結果に余分な映像音声情報が含まれるときにも、所望する映像音声情報のみをディスクにダビングすることができる。
【００２４】
また、さらに、日時の古い側から、ダビング可能な数だけの映像音声情報が検索表示手段によって選択され、取出可能記録媒体にダビングされるので、続き物番組の連続性を損なうことなく、ダビング可能な分だけの映像音声情報を、ディスクに自動的にダビングすることができる。
【００２５】
また、さらに、表示の順序でもって記録日時の順序が示される。また、表示された映像音声情報の一部はダビングはできないことが示される。このため、検索条件に該当した映像音声情報の全てをダビングするにはディスクの記録容量が不足するときに、ダビングする映像音声情報の数を減らすことを促すとともに、どの映像音声情報をダビングの対象からはずせばよいのかの判別を容易にすることができる。
【００２６】
また、さらに、再圧縮ダビングを選択すると、ダビング対象に設定された映像音声情報の全てが取出可能記録媒体にダビングされるので、検索条件に該当した映像音声情報のうち、ダビングの取り消しを指示しなかった映像音声情報の全てを記録するにはディスクの記録容量が不足する場合でも、前記映像音声情報の全てをダビングすることができる。
【００２７】
また、さらに、移動モードとするときでは、ダビングが完了した映像音声情報は、自動で装置側記録媒体から削除されるので、ダビングが済んだ映像音声情報を自動でＨＤＤから削除することができる。
【発明を実施するための最良の形態】
【００２８】
以下、本発明の実施の形態について図を参照して説明する。
【００２９】
図１は、本発明に係る映像音声情報記録装置の一実施形態が適用されたハードディスクドライブ一体型ＤＶＤレコーダの電気的構成を示すブロック線図である。
【００３０】
図において、時計部８は、年を示す情報を含む日付や曜日や時刻を計時し、計時結果をマイクロコンピュータ（以下では、マンコンと称する）５に出力する。チューナ部１は、マイコン５から指示されたチャンネルのアナログ商用放送を受信する。そして、受信により得られたアナログ映像音声信号を録再信号処理部４に出力する。また、受信した商用放送からＥＰＧを分離してマイコン５に出力する。
【００３１】
ディスクドライブ部（請求項記載の記録媒体ドライブ部）２は、録再信号処理部４から出力される映像音声情報を、所定処理した後に、データを記録可能なＤＶＤ（請求項記載の取出可能記録媒体であり、ＤＶＤ−Ｒ、ＤＶＤ−ＲＷ、ＤＶＤ−ＲＡＭ、ＤＶＤ＋Ｒ、ＤＶＤ＋ＲＷ等）１７に記録する。また、ＤＶＤ（ＤＶＤ−ビデオ、ＤＶＤ−Ｒ、ＤＶＤ−ＲＷ、ＤＶＤ−ＲＡＭ、ＤＶＤ＋Ｒ、ＤＶＤ＋ＲＷ等）１７に記録された情報を再生するとともに、再生した情報を所定処理して得られた映像音声情報を録再信号処理部４に出力する。
【００３２】
ハードディスクドライブ部（請求項記載の装置側記録媒体であり、以下ではＨＤＤ部と称する）３は、録再信号処理部４から出力される映像音声情報と、映像音声情報の検索時に参照される情報である参照用情報（後に詳述する）とを対応付けて記録する。また、記録した映像音声情報と参照用情報とを再生して録再信号処理部４に出力する。
【００３３】
録再信号処理部４は、アナログ放送の受信となるときには、チューナ部１が出力する映像音声信号を、装置本体の外部に設けられたテレビ受像機１８に送出する。また、アナログ放送の記録となるときには、チューナ部１が出力する映像音声信号を、Ａ／Ｄ変換して後、所定の圧縮方式（ＭＰＥＧ２方式等）で圧縮して得られた映像音声情報を、ディスクドライブ部２やＨＤＤ部３に出力する。
【００３４】
また、ＨＤＤ部３に記録された映像音声情報やＤＶＤ１７に記録された映像音声情報の再生となるときには、ＨＤＤ部３が出力する映像音声情報、あるいは、ディスクドライブ部２が出力する映像音声情報を伸長して後、Ｄ／Ａ変換して得られた映像音声信号をテレビ受像機１８に出力する。
【００３５】
また、ダビングとなるときには、ディスクドライブ部２が出力する映像音声情報をＨＤＤ部３に転送、あるいは、ＨＤＤ部３が出力する映像音声情報をディスクドライブ部２に転送する。また、必要に応じ、ＨＤＤ部３が出力する情報から参照用情報を分離してマイコン５に出力する。
【００３６】
入力部６は、装置本体の前面パネル（図示を省略）に設けられた電源キー等のキースイッチや、リモートコントローラ（以下では、リモコンと称する）７から送信される赤外線信号を受光する受光ユニット等を備えており、ユーザからの指示が入力されると、入力された指示をマイコン５に出力する。
【００３７】
マイコン５は、ハードディスクドライブ一体型ＤＶＤレコーダとしての主要動作を制御する。すなわち、ＤＶＤ１７を記録媒体として使用するＤＶＤモードとなるときには、再生の指示がリモコン７に入力されると、録再信号処理部４とディスクドライブ部２との動作を制御することによって、ＤＶＤ１７に記録された映像音声情報を再生した後、所定処理して得られた映像音声信号をテレビ受像機１８に出力する（ＤＶＤ１７に記録された映像音声情報をテレビ受像機１８に表示する）。また、記録の指示がリモコン７に入力されると、チューナ部１が出力するアナログ信号の映像音声信号等を、映像音声情報に変換してＤＶＤ１７に記録する。
【００３８】
また、ＨＤＤ部３を記録媒体として使用するＨＤＤモードとなるときには、再生の指示がリモコン７に入力されると、録再信号処理部４とＨＤＤ部３との動作を制御することによって、ＨＤＤ部３に記録された映像音声情報を再生した後、所定処理して得られた映像音声信号をテレビ受像機１８に出力する（ＨＤＤ部３に記録された映像音声情報をテレビ受像機１８に表示する）。
【００３９】
また、ＨＤＤモードにおいて、商用放送の記録の指示がリモコン７に入力されると、録再信号処理部４とＨＤＤ部３とを制御することにより、チューナ部１が出力するアナログ映像音声信号を、映像音声情報に変換してＨＤＤ部３に記録する。また、このとき、参照用情報を生成し、録再信号処理部４に出力することによって、映像音声情報に対応付けて参照用情報をＨＤＤ部３に記録する。図２は、このときに生成される参照用情報を示しており、参照用情報は、タイトル、日付、記録開始時刻、記録終了時刻、記録した映像音声情報のデータ量、グループ、および、ダビング情報の７つの項目によって構成されている。
【００４０】
タイトルは、記録した映像音声情報の番組名、等を示す情報であり、チューナ部１より出力されるＥＰＧから、マイコン５によって取得される（ＥＰＧから取得しない場合では、ユーザによって入力される）。日付は映像音声情報を記録した日付と曜日とを示し、記録開始時刻、記録終了時刻のそれぞれは、映像音声情報の記録を開始した時刻と記録を終了した時刻とを示す情報となっている（請求項記載の記録日時情報はこれら３種の情報によって構成される）。
【００４１】
データ量は、記録した映像音声情報のそれぞれのデータの大きさを示す情報となっている。グループは、映像音声情報が属するグループを示す情報となっている。なお、グループ分けは、ユーザによって指定することが可能であり、ユーザが指定しない場合には、デフォールトに設定されたグループに属するものと見なされるようになっている。ダビング情報は、映像音声情報がＨＤＤ部３に記録された後において、ＤＶＤ１７にダビングされることになったとき、ダビングされたこと、および、ダビングされた日時を示す情報となっている。従って、参照用情報の生成時では、ダビング情報は、ダビング無しを示すことになる。
【００４２】
検索表示手段１１は、マイコン５の機能の一部として構成されている。そして、映像音声情報に対応付けて記憶された参照用情報を参照することにより、ＨＤＤ部３に記録された映像音声情報のうち、入力された検索条件に該当する映像音声情報を検索する。図３は、ＨＤＤ部３からＤＶＤ１７へのダビングを指示したときにテレビ受像機１８に表示される検索条件の入力画面を示しており、『タイトル』、『日付または曜日』、『記録開始時間』、『データ量』、『グループ』の５つの項目のうち、１つ以上の項目について入力するようになっている。
【００４３】
『タイトル』の項目には、ダビングしたい映像音声情報のタイトルを入力する。なお、この項目は、入力された語句が含まれる全てのタイトルを指定するようになっている。すなわち、『あいう』を入力したときには、『あいう・・』、『・・あいう』等のタイトルも、該当すると見なされる。『日付または曜日』の項目は、映像音声情報が記録された日付を指定する。なお、この項目については、『・月・・日〜・月・・日』のように、複数の日数を指定することができるようになっている。入力した日付以前の範囲、あるいは入力した日付以後の範囲についても、指定可能になっている。また曜日の指定や、月曜日〜金曜日を示す『平日』を指定することもできるようになっている。
【００４４】
『記録開始時刻』の項目には、映像音声情報の記録開始時刻を入力する。なお、この項目については、入力された時刻そのものに記録開始時刻が一致する映像音声情報のみが該当すると見なすモードと、前後数分の範囲において記録が開始された映像音声情報についても該当すると見なすモードとのうちから、任意のモードを選択することが可能になっている。『データ量』の項目には、記録された映像音声情報のデータの大きさを入力するようになっている。なお、この項目については、１つの値のみを入力する場合では、入力した値以上の範囲、あるいは入力した値以下の範囲を指定することも可能になっている。また、２種の値Ａ、Ｂを入力することによって、範囲Ａ〜Ｂを指定することもできるようになっている。『グループ』の項目については、ダビングしたい映像音声情報が属するグループを入力する。
【００４５】
なお、上記した５つの項目に関して、２つ以上の項目に条件を入力した場合、入力した項目の全てに該当する映像音声情報のみを指定するＡＮＤモード（ＡＮＤボタン４１を操作する）と、入力した項目の少なくとも１つには該当する映像音声情報を指定するＯＲモード（ＯＲボタン４２を操作する）との２種の検索モードから、ユーザが望む検索モードを指定することができるようになっている。従って、例えば、『日付または曜日』の項目に『平日』を入力するとともに、『記録開始時刻』に『１３時００分』を入力し、ＡＮＤモードを指定すると、平日の１３時００分から記録が開始された映像音声情報が、ダビングの対象として検索される。
【００４６】
また、検索表示手段１１は、入力された検索条件に該当する映像音声情報を検索した後には、該当する映像音声情報を、テレビ受像機１８に、記録された日時の順序に従って表示する。図４は、検索条件として、『タイトル』の項目に『あいうえ』を入力した場合の検索結果の表示の一例を示しており、タイトルの末尾の『Ａ』、『Ｂ』、『Ｃ』、『Ｄ』は、４つの映像音声情報のタイトルが同じであることから、互いを区別可能とするために、検索表示手段１１が自動で追加したものとなっている。なお、同図における（Ａ）は、ＤＶＤ１７の記録容量が判明する前の表示であり、（Ｂ）は、ＤＶＤ１７の記録容量が判明した後の表示となっている。
【００４７】
図４の表示における『ダビング』の欄は、ＤＶＤ１７の記録容量の制限から、ダビング可能になるかどうかを示す欄であり、同図（Ｂ）においては、４つの映像音声情報の全てがＤＶＤ１７にダビング可能となっていることが示されている。『ダビングの有無』の欄は、過去においてＤＶＤ１７にダビングされたことがあるかどうかを示す欄であり、この場合では、４つの映像音声情報の全ては、一度もダビングされていないことが示されている（過去にダビングされたことがある映像音声情報については、図５のタイトルが『いいい』の映像音声情報の『ダビングの有無』の欄に示すように、ダビングされた日時が表示される。
【００４８】
また、検索表示手段１１は、検索条件に該当する映像音声情報の全てをＤＶＤ１７に記録するには、ＤＶＤ１７の記録容量が不足する場合、例えば、図５（Ｂ）に示したように、該当する映像音声情報が多過ぎて、表示された映像音声情報のうち、一部の映像音声情報をＤＶＤ１７にダビングできないことを示すメッセージ（検索条件に該当する映像音声情報のデータの総量が取出可能記録媒体に記録可能なデータ量より多いことを示す情報）３８を表示する。また、ユーザがダビングの取り消しを指定した映像音声情報については、ダビング対象から除外し、除外されずに残った映像音声情報を、ダビング対象に設定する。
【００４９】
すなわち、検索表示手段１１は、検索結果が図５（Ｂ）に示す状態となるときに、タイトルが『いいい』である映像音声情報のダビングの取り止めを入力すると、タイトルが『いいい』である映像音声情報を、ダビング対象から除外する。また、このときには、図６（Ｂ）に示すように、『ダビング』の欄を『しない』とすることによって、タイトルが『いいい』である映像音声情報が、ダビング対象から除外されたことを示す。従って、このときでは、『ああああ』、『うううう』、『ええええ』、『おお』の４つの映像音声情報がダビング対象に設定される。
【００５０】
ダビング制御手段１２は、ダビングボタン３３が操作されたときには、検索条件に該当し、且つ、ユーザによってダビングの取り止めを指定されなかった映像音声情報を、ＨＤＤ部３から再生して、ＤＶＤ１７にダビングする。すなわち、ＨＤＤ部３に記録された映像音声情報のうち、検索表示手段１１によってダビング対象に設定された映像音声情報を、ＨＤＤ部３からＤＶＤ１７にダビングする。
【００５１】
従って、いま、検索表示手段１１による検索結果が、図４（Ｂ）に示す状態となるときにダビングボタン３３を操作すると、タイトルが『あいうえ  Ａ』〜『あいうえ  Ｄ』である４つの映像音声情報が、ＨＤＤ部３から再生され、ＤＶＤ１７にダビングされる（ダビングされた映像音声情報のタイトルからは、検索表示手段１１によって追加された末尾のアルファベットＡ〜Ｄは削除される）。
【００５２】
また、検索結果が、図５（Ｂ）に示す状態となるときに、ダビングボタン３３を操作すると、タイトルが『ああああ』、『いいい』、『うううう』、『ええええ』の４つの映像音声情報のみが、ＤＶＤ１７にダビングされる。すなわち、ダビング対象に設定された映像音声情報のデータの総量が、ディスクドライブ部２に収納されたＤＶＤ１７に記録可能なデータ量より多くなるときには、ダビング対象に設定された映像音声情報のうち、記録可能な数の映像音声情報を、記録日時情報により示される日時の古い側から選択してＤＶＤ１７にダビングする。
【００５３】
また、例えば、検索結果が、図７（Ａ）に示す状態となるときに、圧縮ボタン３５を操作すると、表示された映像音声情報の全て（ダビングの取り止めを指示した映像音声情報を除く）をＤＶＤ１７に記録可能とするため、同図（Ｃ）に示したように、このときのカーソル３１の位置に対応する映像音声情報が、より高い圧縮率で圧縮されることが示される。この状態でダビングボタン３３を操作すると、ダビング制御手段１２により、タイトルが『あいうえ  Ａ』〜『あいうえ  Ｄ』である４つの映像音声情報は、圧縮率を変更されることなくＤＶＤ１７にダビングされ、タイトルが『あいうえ  Ｅ』である映像音声情報は、圧縮率が高められてＤＶＤ１７にダビングされる。
【００５４】
図８は、参照用情報の生成時の実施形態の主要動作を示すフローチャート、図９〜図１１は、ダビングを指示したときの実施形態の主要動作を示すフローチャートである。必要に応じて同図を参照しつつ、実施形態の動作を説明する。
【００５５】
ユーザが、商用放送の番組の記録を指示すると、マイコン５は、チューナ部１、録再信号処理部４、ＨＤＤ部３を制御することによって、指示された番組をＨＤＤ部３に記録する（ステップＳ１）。そして、番組の記録を終了したときには、記録した番組のタイトルをＥＰＧから取得する（ステップＳ２）。また、ユーザによるグループ分けの入力のための画面（図示を省略）を表示し、記録した番組が属するグループを取得する。次いで、取得したタイトル、既知である日付や記録開始時刻や記録終了時刻、記録した番組のデータ量、グループ、および、ダビング情報からなる参照用情報を生成し（ステップＳ３）、記録した番組（映像音声情報）に対応付けてＨＤＤ部３に記録する（ステップＳ４）。
【００５６】
上記方法によって、ＨＤＤ部３に多数の映像音声情報が記録されたとする。この状態において、ワンタッチダビングの指示を入力すると、ダビングする映像音声情報の選択（抜き出し）を容易にするダビングモードに移行する（ワンタッチダビングの指示の入力方法としては、リモコン７に専用キーを設け、このキーを操作する方法、あるいは、ダビングのメニューの選択肢の１つにワンタッチダビングを設け、この選択肢を選択する方法、等とすることができる）（ステップＳ１１）。
【００５７】
ワンタッチダビングのモードに移行すると、検索表示手段１１は、図３に示したような、検索条件の入力のための画面をテレビ受像機１８に表示する（ステップＳ１２）。この入力画面において、『タイトル』の項目に、『あいうえ』を入力したとする。このとき、ＨＤＤ部３に、タイトルに『あいうえ』を含む映像音声情報が４つ記録されているとすると、タイトルが『あいうえ』である４つの映像音声情報が検索される。そして、検索された４つの映像音声情報は、日付の古さに従った順序でもって、上側から表示される（ステップＳ１４）。図４（Ａ）は、このときのテレビ受像機１８の表示を示しており、ダビング先であるＤＶＤ１７の記録容量が知られていないので、『ダビング』の欄は空白となっている。
【００５８】
この後、ＤＶＤ１７をディスクドライブ部２に収納すると、ＤＶＤ１７の記録容量を示す情報が、録再信号処理部４からマイコン５に出力される（ステップＳ１５）。このため、検索表示手段１１は、検索された４つの映像音声情報の全てをダビングできるかどうかを調べる（ステップＳ１６）。このとき、４つの映像音声情報のそれぞれのデータ量が１ＧＢであるとすると、ＤＶＤ１７の記録容量が４．７ＧＢなので、４つの映像音声情報の全てがダビング可能になる。
【００５９】
このため、動作は、ステップＳ１７からステップＳ３１に移行し、全ての映像音声情報がダビング可能になっていることが表示される。図４（Ｂ）は、このときのテレビ受像機１８の表示を示している。また、除外ボタン３２を操作したときには、カーソル３１により示されるタイトルを、ダビングの対象から除外可能であることが表示される。
【００６０】
上記した表示状態、すなわち、図４（Ｂ）に示す表示状態において、ダビングボタン３３を操作すると、タイトルが『あいうえ』である４つの映像音声情報が、ＨＤＤ部３から読み出されて、ＤＶＤ１７にダビングされる（ステップＳ３２，Ｓ３３）。そして後、移動モード（ＤＶＤ１７にダビングした映像音声情報をＨＤＤ部３から削除するモード）となっているかどうかが調べられる。
【００６１】
移動モードとなっているときでは、ＤＶＤ１７にダビングされた映像音声情報はＨＤＤ部３から削除される（ステップＳ３４，Ｓ３５）。一方、移動モードとなっていないときでは、ＨＤＤ部３に記録された映像音声情報のうち、ＤＶＤ１７へのダビング元となった映像音声情報のダビング情報の項目に、ダビング済みであることを示すために、ダビングの日付が格納される（ステップＳ３４，Ｓ３６）。
【００６２】
なお、図４（Ｂ）に示す表示となった状態において、上下の方向キーを操作すると、カーソル３１が上下に移動する（ステップＳ４１，Ｓ４２）。なお、カーソル３１は、ダビング対象から除外する映像音声情報を示すようになっている。除外ボタン３２を操作したときには、カーソル３１により示される映像音声情報が、ダビング対象から除外される（ステップＳ４３，Ｓ４４）。
【００６３】
従って、図４（Ｂ）に示す表示となった状態において、上方向キーを操作して、カーソル３１を１つ上の映像音声情報の項目に移動させた後、除外ボタン３２を操作すると、タイトルが『あいうえ  Ｃ』である映像音声情報が、ダビング対象から除外されることになる（このときでは、『あいうえ  Ｃ』の映像音声情報の『ダビング』の欄の表示が、ダビング対象であることを示す表示（丸印の表示）から、ダビング対象でないことを示す『しない』の表示に変化する。なお、取り消しボタン３４を操作したときでは、ワンタッチダビングの中止となる（フローチャートにおいては図示を省略）。
【００６４】
一方、ステップＳ１６において、全ての映像音声情報をＤＶＤ１７にダビング可能であるかどうかを調べたとき、ダビング対象に設定された映像音声情報のデータの総量が、ＤＶＤ１７に記録可能な容量より多くなる場合には、動作は、ステップＳ１７からステップＳ２１に移行する。このため、検索条件に該当した映像音声情報のうち、ＤＶＤ１７にダビング可能な数の映像音声情報が、日付の古い側から順次選択されて、ダビング対象に設定される。そして、選択されずに残った映像音声情報がダビング対象から除外される（ステップＳ２２）。
【００６５】
すなわち、このときでは、図５（Ｂ）に示したように、検索条件に該当した５つの映像音声情報のうち、記録日付の古い側の４つの映像音声情報（タイトルが『ああああ』、『いいい』、『うううう』、『ええええ』の４つの映像音声情報）の『ダビング』の欄には、ダビング対象に設定されたことを示す丸印が表示される。そして、記録日時が最も新しい映像音声情報『おお』の『ダビング』の欄には、ダビング対象には設定されていないことを示す『オーバー』が表示される（ステップＳ２３）。すなわち、検索条件に該当する映像音声情報の数が多過ぎて、ＤＶＤ１７にはダビングしきれないため、映像音声情報『おお』は、ダビング対象から除外されたことが示される。また、検索条件に該当する映像音声情報の数が多過ぎて、一部の映像音声情報をダビングできないことを示すメッセージ（検索条件に該当する映像音声情報のデータの総量が取出可能記録媒体に記録可能なデータ量より多いことを示す情報）３８が表示される（ステップＳ２４）。
【００６６】
上記した表示が行われた状態、すなわち、図５（Ｂ）に示した表示が行われた状態において、ダビングボタン３３を操作すると、動作は、ステップＳ５１から５２に移行し、再圧縮する映像音声情報（後に詳述する）があるかどうかが調べられる。このときでは、再圧縮する映像音声情報が無いので、動作は、ステップＳ５３に移行し、ダビング対象に設定された映像音声情報（タイトルが『ああああ』、『いいい』、『うううう』、『ええええ』の４つの映像音声情報）がＤＶＤ１７にダビングされる。
【００６７】
そして後、移動モードとなっているかどうかが調べられる。移動モードとなっているときでは、ＤＶＤ１７にダビングされた映像音声情報はＨＤＤ部３から削除される（ステップＳ５４，Ｓ５５）。一方、移動モードとなっていないときでは、ＨＤＤ部３に記録された映像音声情報のうち、ＤＶＤ１７へのダビング元となった映像音声情報のダビング情報の項目に、ダビング済みであることを示すために、ダビングの日付が格納される（ステップＳ５４，Ｓ５８）。
【００６８】
一方、映像音声情報『いいい』の『ダビングの有無』の欄には、日付が表示されており、映像音声情報『いいい』は、既にダビングされた映像音声情報であることが示されている。従って、映像音声情報『いいい』をダビングすることは不要となる。このため、図５（Ｂ）に示す表示が行われている状態において、カーソル３１を映像音声情報『いいい』に移動させた後（ステップＳ６１，Ｓ６２）、除外ボタン３２を操作すると、映像音声情報『いいい』はダビング対象から除外される（ステップＳ６３，Ｓ６４）。
【００６９】
図６（Ａ）は、カーソル３１を映像音声情報『いいい』に移動させたときの表示を示しており、この状態において除外ボタン３２を操作すると、映像音声情報『いいい』がダビング対象から除外されることが示されている。また、同図（Ｂ）は、同図（Ａ）が表示された状態において除外ボタン３２を操作した後の表示を示しており、映像音声情報『いいい』の『ダビング』の欄が『しない』に変更されて、映像音声情報『いいい』がダビング対象から除外されたことが示されている。また、映像音声情報『いいい』がダビング対象から除外されたために、映像映像音声情報『おお』がダビング可能となって、映像音声情報『おお』がダビング対象に設定されたことが示されている（『おお』の『ダビング』の欄に丸印が表示されている）。
【００７０】
この状態においてダビングボタン３３を操作したときには、映像音声情報『ああああ』、『うううう』、『ええええ』、『おお』の４つの映像音声情報がＤＶＤ１７にダビングされる（ステップＳ５１〜Ｓ５３）。
【００７１】
また、動作がステップＳ１１〜Ｓ１７、ステップＳ２１〜Ｓ２４と移行したときのテレビ受像機１８における表示が、図７（Ａ）に示す表示になったとする。すなわち、検索条件として入力されたタイトル『あいうえ』に該当する映像音声情報として、５つの映像音声情報が検索されたとする。また、各映像音声情報のデータ量が１ＧＢであるために、映像音声情報『あいうえ  Ｅ』（Ｅは検索表示手段１１により追加されている）がダビング対象から除外されているとする。
【００７２】
図７（Ａ）の表示となった状態において、ダビングボタン３３を操作したときには、映像音声情報『あいうえ  Ａ』〜『あいうえ  Ｄ』がダビングされる（ステップＳ５１〜Ｓ５３）。一方、図７（Ａ）となった状態において、除外ボタン３２を操作したときには、映像音声情報『あいうえ  Ｅ』はダビング対象から除外され、テレビ受像機１８における表示は、（Ａ）に示す表示から（Ｂ）に示す表示に変化する（ステップＳ６３，Ｓ６４）。
【００７３】
すなわち、このときでは、ユーザによって、映像音声情報『あいうえ  Ｅ』がダビング対象から除外されたので、該当する映像音声情報の数が多過ぎて、一部の映像音声情報がダビングできないことを示すメッセージ３８の表示は消去される。また、映像音声情報『あいうえ  Ｅ』の『ダビング』の欄の表示は、『オーバー』から『しない』に変更される。つまり、映像音声情報『あいうえ  Ｅ』は、ユーザによってダビング対象から除外されたことが示される。そして、同図（Ｂ）が表示された状態においてダビングボタン３３を操作すると、映像音声情報『あいうえ  Ａ』〜『あいうえ  Ｄ』がＤＶＤ１７にダビングされる（ステップＳ５１〜Ｓ５３）。
【００７４】
一方、図７（Ａ）の表示となった状態において圧縮ボタン３５を操作したときには、映像音声情報『あいうえ  Ｅ』が、再圧縮の対象に指定される。すなわち、映像音声情報『あいうえ  Ｅ』は、映像音声情報『あいうえ  Ａ』〜『あいうえ  Ｄ』をダビングした残りの領域にダビング可能となるように、圧縮率を高めてダビングされるように指定される（ステップＳ６５，Ｓ６６）。同図（Ｃ）は圧縮ボタン３５を操作した後のテレビ受像機１８の表示を示しており、圧縮率を高めてダビングされる映像音声情報『あいうえ  Ｅ』の『ダビング』の欄には、圧縮率が高められることを示す『再圧縮』が表示される。
【００７５】
図７（Ｃ）に示す表示となった状態においてダビングボタン３３を操作すると、動作は、ステップＳ５１，Ｓ５２からステップＳ５６に移行し、再圧縮に指定されていない映像音声情報『あいうえ  Ａ』〜『あいうえ  Ｄ』が、圧縮率を変えることなく、ＤＶＤ１７にダビングされる。そして後、映像音声情報『あいうえ  Ｅ』が、ＤＶＤ１７の残りの領域に記録可能となる圧縮率でもって圧縮され、ＤＶＤ１７にダビングされる（ステップＳ５７）。
【００７６】
なお、上記における説明において、ＤＶＤ１７へのダビングを行ったとき、ダビングした映像音声情報がコピーワンスの映像音声情報であるときには、移動モードとなっていないときでも、ダビングされた映像音声情報はＨＤＤ部３から削除される。
【００７７】
また、ワンタッチダビングの指示を入力したとき、ダビング先となるＤＶＤ１７が既にディスクドライブ部２に収納されていて、ＤＶＤ１７の記録可能な容量が既知であるときには、検索条件に該当する映像音声情報の検索が終了すると、検索結果が図４に該当する場合では、（Ａ）の表示は省略されて、直ちに（Ｂ）に示す表示が行われる。すなわち、検索が終了したときには、直ちに、検索された映像音声情報のタイトルと、各タイトルのダビングの可否が併せて表示される。また、検索結果が図５に該当する場合でも、（Ａ）の表示は省略されて、直ちに（Ｂ）に示す表示が行われる。
【００７８】
なお、取り消しボタン３４を操作したときでは、ワンタッチダビングの中止となるが、この動作は、図示が省略されている。また、実機においては、ダビングを行う場合、ＤＶＤ１７のイメージとなる領域をＨＤＤ部３の内部に作成し、この領域にダビングデータを作成した後、作成したダビングデータをＤＶＤ１７にダビングするようになっている。
【００７９】
なお、本発明は上記実施形態に限定されず、装置側記録媒体については、ＨＤＤ部３に限定されず、その他の記録媒体とすることができる。また、取出可能記録媒体についてはＤＶＤに限定されず、その他の記録媒体とすることができる。
【図面の簡単な説明】
【００８０】
【図１】図１は、本発明に係る映像音声情報記録装置の一実施形態が適用されたハードディスクドライブ一体型ＤＶＤレコーダの電気的構成を示すブロック線図である。
【図２】参照用情報の構成を示す説明図である。
【図３】検索条件の入力項目を示す説明図である。
【図４】検索条件に該当する映像音声情報が表示された画面を示す説明図である。
【図５】検索条件に該当する映像音声情報が表示された画面を示す説明図である。
【図６】検索条件に該当する映像音声情報が表示された画面を示す説明図である。
【図７】検索条件に該当する映像音声情報が表示された画面を示す説明図である。
【図８】参照用情報の生成時の実施形態の主要動作を示すフローチャートである。
【図９】ワンタッチダビングにおける実施形態の主要動作を示すフローチャートである。
【図１０】ワンタッチダビングにおける実施形態の主要動作を示すフローチャートである。
【図１１】ワンタッチダビングにおける実施形態の主要動作を示すフローチャートである。
【符号の説明】
【００８１】
２  ディスクドライブ部（記録媒体ドライブ部）
３  ＨＤＤ部（装置側記録媒体）
１１  検索表示手段
１２  ダビング制御手段
１７  ＤＶＤ（取出可能記録媒体）
３８  検索条件に該当する映像音声情報のデータの総量が取出可能記録媒体に記録可能なデータ量より多いことを示す情報
【図１】
2006080890.tif 000003
【図２】
2006080890.tif 000004
【図３】
2006080890.tif 000005
【図４】
2006080890.tif 000006
【図５】
2006080890.tif 000007
【図６】
2006080890.tif 000008
【図７】
2006080890.tif 000009
【図８】
2006080890.tif 000010
【図９】
2006080890.tif 000011
【図１０】
2006080890.tif 000012
【図１１】
2006080890.tif 000013